(57)【特許請求の範囲】
【請求項１】
軸芯方向中程にリールからの釣糸を導入する糸導入孔を有する元竿に対して、後端開口を糸導入口とする中間竿と穂先竿とを、前記糸導入口が前記糸導入孔より尻部側へ入り込む仕舞い状態に収納可能に構成する振出式中通し竿であって、
前記糸導入孔及び糸導入口の縁部に夫々耐摩耗性の高い第１、第２糸案内リングを装着するとともに、前記糸導入孔の縁部に装着する前記第１糸案内リングに、前記糸導入孔の縁部より竿の外周面に突出する外側部分と前記元竿の内周面に至る内側部分とを設け、前記仕舞い状態において、前記外側部分における、前記リールからの釣糸を前記糸導入孔に摺接案内する第１外側角部相当位置に、及び、前記内側部分における、前記第１外側角部相当位置から後方の前記糸導入口に向けて釣糸を摺接案内する第１内側角部相当位置に、湾曲面を形成し、
前記第１内側角部（６Ｂ）相当位置に設けてある湾曲面（Ｒ２）は、前記第１外側角部（６Ａ）相当位置に設けてある湾曲面（Ｒ１）より大きい湾曲である
ことを特徴とする振出式中通し竿。
【請求項２】
前記糸導入口に対する第２糸案内リングを、前記竿自体の後端より後方に突出する状態で、かつ、竿自体の外面位置と、竿自体の内面よりさらに小径位置とに亘る形状で形成して前記糸導入口の縁部に装着するとともに、前記第２糸案内リングにおける、前記第１内側角部相当位置で案内された釣糸を前記糸導入口に向けて摺接案内する第２外側角部相当位置と、前記第２外側角部相当位置を通過した釣糸を前記糸導入口より前記中間竿内部に導入すべく摺接案内する第２内側角部相当位置とに、湾曲面を形成してある請求項１記載の振出式中通し竿。
【請求項３】
前記元竿の尻部内面に、この元竿内に収納された中間竿の前記第２糸案内リングに接当して前記元竿の尻部との間隔を設ける間隔形成具を設けてある請求項１又は２に記載の振出式中通し竿。
【発明の詳細な説明】
【０００１】
【発明の属する技術分野】
本発明は、軸芯方向中程にリールからの釣糸を導入する糸導入孔を有する元竿に対して、後端開口を糸導入口とする中間竿と穂先とを仕舞い状態に収納可能に構成する振出式中通し竿に関する。
【０００２】
【従来の技術】
従来、この種の中通し竿用の糸導入孔に装着されている糸案内リングにおいては、糸導入孔の縁部より竿の外面に突出しているものはなく、竿の外周面と内周面とに亘る竿の厚みに相当する厚みで設けていただけである。
【０００３】
【発明が解決しようとする課題】
したがって、糸案内リングの竿の径方向に沿った厚さが、糸導入孔の厚みと略変わらないものとなり、糸を案内する面に大きな湾曲面を形成できなかった。
そうすると、仕掛けを装着した状態で中間竿や穂先を元竿内に仕舞う際に、中間竿の糸導入口が元竿の糸導入孔を通り越してさらに尻栓側に入り込んで行くと、リールから糸導入孔に入って中間竿の後端糸導入口に向かう状態で、糸案内リングの内面に沿って略３００°位に曲げられる。その場合に、糸導入ガイドに設けられた湾曲面が小さな半径のものにならざるを得ないので、この部分で大きな摺動抵抗が作用し、釣糸を傷める等の問題があった。
また、仕舞い状態から中間竿や穂先を引き出して釣使用状態に切り換える場合に、糸導入孔と糸導入口とで大きく曲げられている釣糸を引き延ばし大きな摺動抵抗を生じないように、元上を先ず引き出した後細い径の竿を穂先竿まで順次引き出すようにしていた。
しかし、この場合には糸の摺動抵抗が少ない面では問題は少ないのであるが、元上から引き出す場合には、竿を延ばす為の握り換えや足元スペースが大きく必要になるといった問題がある。つまり、元竿から元上を引き出す場合には、元竿の玉口を一方の手で握って他方の手で元上の玉口部分から順次尻部を握り変えて引き出して行き最後に引き出し状態を固定する為に強く引き出して固定する。そして、次に細い竿が穂先だとするとその穂先を引き出す際には、元上の玉口位置が元竿の玉口を握っている一方の手から元上の竿長さ分だけ離れた位置になるので、その元上の玉口部分を一方の手で握ることのできる手元位置まで移動させることが必要である。そうすると、元竿の竿尻部分が釣り人の足元より離れる必要がある為に、元竿が移動して載置されるだけのスペースが必要となる。
元竿や元上の竿長さが１ｍより短い場合にはまだ対処できるのであるが、１ｍ以上になると、大きなスペースが必要となり、例えば、釣り人一人がやっと立てる位のスペースしか確保できないことの多い磯釣等においては、竿の延ばすだけの作業が大きな負担になることがあった。
もし、通常釣り人が行っているように穂先竿から引き出すとすると、糸導入孔と糸導入口での摺動抵抗が大きいので、穂先竿が引き出されて前方に移動する際に穂先竿の移動に伴って釣糸が穂先竿の内面との摩擦によって引きずられてリールより繰り出されるとしても、釣糸に大きな引張力が作用することになり、釣糸が切断するか、又は、穂先竿が切損するかいずれかであった。また、糸導入孔と糸導入口での摺動抵抗が大きくて穂先竿が前方に移動しようとする際にリールから釣糸が繰り出されないとすると、トップガイドより垂らされている仕掛けがトップガイドに近ずくように引き上げられなければならないが、この場合には穂先竿自身に大きな曲げ力が作用することになり、穂先竿が耐えられないことは明白である。
【０００４】
請求項１の発明の目的は、糸導入ガイドでの摺動抵抗を低減して、円滑な中間竿等の収納引き出しを行えるようにする点にある。
【０００５】
【課題を解決するための手段】
〔構成〕
請求項１の発明による特徴構成は、軸芯方向中程にリールからの釣糸を導入する糸導入孔を有する元竿に対して、後端開口を糸導入口とする中間竿と穂先竿とを、前記糸導入口が前記糸導入孔より尻部側へ入り込む仕舞い状態に収納可能に構成する振出式中通し竿であって、
前記糸導入孔及び糸導入口の縁部に夫々耐摩耗性の高い第１、第２糸案内リングを装着するとともに、前記糸導入孔の縁部に装着する前記第１糸案内リングに、前記糸導入孔の縁部より竿の外周面に突出する外側部分と前記元竿の内周面に至る内側部分とを設け、前記仕舞い状態において、前記外側部分における、前記リールからの釣糸を前記糸導入孔に摺接案内する第１外側角部相当位置に、及び、前記内側部分における、前記第１外側角部相当位置から後方の前記糸導入口に向けて釣糸を摺接案内する第１内側角部相当位置に、湾曲面を形成し、
前記第１内側角部（６Ｂ）相当位置に設けてある湾曲面（Ｒ２）は、前記第１外側角部（６Ａ）相当位置に設けてある湾曲面（Ｒ１）より大きい湾曲である点にあり、その作用効果は次の通りである。
【０００６】
〔作用〕
つまり、元竿の糸導入孔に装着した糸導入ガイドが、糸導入孔の縁部より外方に突出する外側部分を有しているので、元竿の内周面までに至る内側部とその外側部とで竿の径方向に沿った厚みが厚いものとなり、この厚みにおける外側の角部（第１外側角部相当位置）と内側の角部（第１内側角部相当位置）とに湾曲面を設けてあるので、これら両湾曲面によって案内される釣糸がトータルとして３００°近く曲げられるにしても２箇所において徐々に曲げられるので曲げが急激なものにならず穏やかに曲げられるので、摺動抵抗は従来よりは小さくなる。
これによって、通常の振出竿において行っているように穂先竿から引き出すことができる。つまり、仕舞った状態にある竿を縦向きにして元竿を足元に載置し、一方の手を元竿の玉口部位に添えて他方の手を穂先竿に添えて穂先竿から引き出して行く。穂先竿が引き出されると同時に穂先竿の内部に位置する釣糸がその竿内部との摩擦によってともに引き出されていく。この場合に、糸案内リングでの摺動抵抗が小さい分だけ穂先竿が引き出される際に釣糸が及ぼす反力も小さくなり、穂先竿に異常な荷重が作用したり釣糸が切断するような抵抗は作用しない。
次に、穂先竿より大径の竿が元上だとすると、一方の手は元竿の玉口部位に添えたまま、他方の手を元上の玉口部位に添えてその元上を引き延ばして行くだけでよい。そうすると、足元に載置した元竿の竿尻位置を移動させる必要がないので、引き延ばし操作が容易に行える。
〔効果〕
したがって、中間竿等を元竿内に仕舞う際及び引き出す際にも、釣糸及び穂先竿に大きな抵抗を掛けることなく操作が行えるとともに、引き出す操作も容易に行うことができる。
【０００７】
請求項２の発明の目的は、請求項１の目的と同様である。
【０００８】
〔構成〕
請求項２の発明による特徴構成は、請求項１の発明による構成において、前記糸導入口に対する第２糸案内リングを、前記竿自体の後端より後方に突出する状態で、かつ、竿自体の外面位置と、竿自体の内面よりさらに小径位置とに亘る形状で形成して前記糸導入口の縁部に装着するとともに、前記第２糸案内リングにおける、前記第１内側角部相当位置で案内された釣糸を前記糸導入口に向けて摺接案内する第２外側角部相当位置と、前記第２外側角部相当位置を通過した釣糸を前記糸導入口より前記中間竿内部に導入すべく摺接案内する第２内側角部相当位置とに、湾曲面を形成してある点にあり、その作用効果は次の通りである。
【０００９】
〔作用・効果〕
第２糸案内リングにおいても釣糸の摺接抵抗をより低減できる構成となっているので、中間竿から仕舞い状態に切り換えて行く際にもかつ仕舞い状態から引き出して行く際にも、釣糸及び穂先竿等を傷めることなく容易迅速に行えるようになった。
【００１０】
請求項３の発明の目的は、請求項２にかかる目的と同様である。
【００１１】
〔構成〕
請求項３の発明による特徴構成は、請求項１又は２の発明による構成において、前記元竿の尻部内面に、この元竿内に収納された中間竿の前記第２糸案内リングに接当して前記元竿の尻部との間隔を設ける間隔形成具を設けてある点にあり、その作用効果は次の通りである。
【００１２】
〔作用・効果〕
この間隔形成具によって、仕舞い状態において中間竿の糸導入口が不測に元竿の尻部に接触して、第２糸案内リングで案内されている糸を挟み込んで傷める、又は、穂先竿を引き出す際に大きな摺動抵抗となる、といった不都合な事態を回避することができる。
【００１３】
【発明の実施の形態】
本発明は、リールからの糸を元竿内に導入する糸導入孔の縁部に装着する耐摩耗性の第１糸案内リングを次のように構成する。つまり、第１糸案内リングは、糸導入孔より突出する外側部と、糸導入孔の内面に沿って竿の内周面に至る内側部とを有し、その外側角部と内側角部とに湾曲面を形成して糸の摺動抵抗を低減する構成を採っている振出式中通し竿を構成したものである。
【００１４】
糸導入ガイドとしては、元上の後端開口にも元上の竿自体より後方に突出するとともに、竿自体の外面から内面に亘る状態で第２糸導入ガイドを設け、この第２糸導入ガイドにおける外側角部と内側角部とに、湾曲面を形成して、穂先竿が仕舞い状態から引き出される際に、釣糸もともにリールより円滑に引き出されるようにして、穂先竿に無理な力が作用しない状態で竿を伸張状態にできるように構成する。
【００１５】
元竿の尻部内面には、円周方向複数箇所に元上の後端開口に取り付けた第２糸導入ガイドに接当して尻部と元上後端との間隔を設定する突起状の間隔設定具を設けてあり、これによって、意識せずに元上を収納したとしても、元上後端開口より内部に導入されている釣糸が第２糸導入ガイドと尻部とに挟まれるような状態にならないように構成してある。
【００１６】
【実施例】
本願考案に係る振出式中通し竿について説明する。
図２に示すように、リール載置部１と、そのリール載置部１に取付られたリールＡから繰り出される釣糸ａを内部経路ｂに導入する糸導入孔２Ａとを設けた元竿２に、中間竿としての元上３、中間竿としての中竿４、及び、先端にトップガイド５Ａを有する穂先竿５を振出式に繋いで中通し竿を構成してある。
【００１７】
図１に示すように、元竿２の糸導入孔２Ａと元上３の後端に開口する糸導入口３Ａには、耐摩耗性の高いセラミック製の糸案内リング６，７を設けてある。糸導入孔２Ａに装着される糸案内リング６を第１糸案内リング６、糸導入口３Ａに装着される糸案内リング７を第２糸案内リング７と称する。
【００１８】
第１糸案内リング６について説明する。図４に示すように、第１糸案内リング６は、糸導入孔２Ａのリール載置部側の半周部位に亘る円周長で設けてあり、糸導入孔２Ａの縁部表面より突出する外側部６Ａと糸導入孔２Ａの内縁面に沿って設けられ元竿２の内周面に至る内側部６Ｂとを設け、図３ないし図４に示すように、前記外側部６Ａと前記内側部６Ｂとの糸ａを案内する第１内外側角部相当位置に、湾曲面Ｒ１，Ｒ２を形成してある。二つの内外側角部相当位置に設けられた湾曲面Ｒ１，Ｒ２は、同一の曲率で形成してあり、二つの内外側角部相当位置を結ぶ部分を含めて、同一曲率で連続に繋がる湾曲面に形成してある。
【００１９】
基本的な第１案内リング６の構成としては、上記のようなものであるが、図５に示すように、外側部６Ａの外側角部相当位置に設けてある湾曲面Ｒ１は導入する糸ａの屈折角が余り大きくはならないので小さな湾曲でよく、内側部６Ｂの内側角部相当位置に設けてある湾曲面Ｒ２は糸ａの屈折角が外側部６Ａの場合より大きくなるので、大きな湾曲を設けてもよい。
また、図６に示すように、二つの内外側角部相当位置を結ぶ部分６Ｃは直線であってもよい。
第１糸案内リング６の材質としては、セラミック以外に同様の耐摩耗性を施した表面硬度を有するものであれば、金属を使用してもよい。また、第１糸案内リング６としては、左右幅の中心位置にローラや球といった遊転するものを介装して、このローラ等で糸を案内するようにしてもよい。
【００２０】
次に、元上３の後端開口部位に形成された糸導入口４Ａに装着される第２糸案内リング７について説明する。
図７に示すように、第２糸案内リング７を前記竿自体の後端より後方に突出する状態で、かつ、竿自体の外周面と内周面より小径位置とに亘る状態で装着するとともに、前記第２糸案内リング７における元上３の外周面に相当する第２外側角部相当位置と前記小径位置に相当する第２内側角部相当位置とに、湾曲面Ｒ３，Ｒ４を形成してある。二つの第２内外側角部相当位置に設けられた湾曲面Ｒ３，Ｒ４は、同一の曲率で形成してあり、二つの第２内外側角部相当位置を結ぶ部分を含めて、同一曲率で連続に繋がる湾曲面に形成してある。
【００２１】
基本的な第２案内リング７の構成としては、上記のようなものであるが、図８に示すように、第２外側角部相当位置に設けてある湾曲面Ｒ３は導入する糸ａの屈折角が余り大きくはならないので小さな湾曲でよく、第２内側角部相当位置に設けてある湾曲面Ｒ４は糸ａの屈折角が大きくなるので、大きな湾曲を設けてもよい。
また、図９に示すように、二つの第２内外側角部相当位置を結ぶ部分は直線であってもよい。
この第２案内リング７の形状としては、必ずしも、上記のような構造を採る必要はなく、従来一般に使用されているように、元上３の外周面には達することはなく、第２内側角部相当位置にのみ設けるような構成を採ってもよい。
【００２２】
次に、元竿２の尻部構造について説明する。図１に示すように、元竿２の後端に金属製の尻リング８を固着するとともに、この尻リング８に尻栓９を螺着し、尻栓９と尻リング８とで竿受け止め板１０を挟み込み固定している。竿受け止め板１０は樹脂製の円盤であり、円筒部材の一端に糸ａを通過させるための切欠き１０ａを周方向複数箇所に設けて、元上３の第２糸案内リング７との間隔をあける間隔形成具となっている。第２糸案内リング７によって案内される糸ａは、切欠き１０ａの間を通るので、挟み込まれることはない。間隔形成具としては切欠き１０ａではなく、元竿２の内部空間に向けて突起１０Ａを周方向複数箇所に設けてもよい。但し、切欠き１０ａを設けるものは突起１０Ａの場合に比べて円筒部材が基本的構成を担うので、強度的に強いものである。反対に、スポンジをブロック状に形成したものを使用してもよい。この場合には、ブロック状平面と第２糸案内リング７が接着するがブロックがスポンジであるので、糸ａの移動についてはさほど抵抗とはならない。スポンジ製ブロックを間隔形成具１０として使用した場合には、製作構造が簡単である。
【００２３】
以上のような構成を採る振出式中通し竿は次のような使用形態で使用される。つまり、図２（イ）に示すように、仕掛けを取り付けた状態で元上３、中竿４、穂先竿５を元竿２内に収納して、仕舞い状態とする。この仕舞い状態より引き出す場合には、まず、穂先竿５を引き出す。この際に、釣糸ａがリールから引き出されないとすると、穂先竿５が引き出されるに伴って仕掛けがトップガイド５Ａに近接する状態に上昇しなけばならないが、実際には、穂先竿５と釣糸ａ、特に、トップガイド５Ａと釣糸ａとの摺動抵抗が大きいために、その大きな抵抗に打ち勝って穂先竿５Ａを移動させる必要がある。しかし、大きな抵抗に打ち勝つだけの操作力を加えると穂先竿５自体が細く曲がり易いものであるために、穂先竿５が引き出されるとともに釣糸ａがリールＡより繰り出される必要がある。その場合に、第１、第２糸案内リング６，７での摺動抵抗が小さくなっているので、第１糸案内リング部位と第２糸案内リング部位との二段の折り返し部分があっても、円滑に糸ａを繰り出すことができ、穂先竿５を伸張させることができる。  これによって、元竿２の尻栓９を足元に載置して竿を縦向きにした状態で穂先竿５から順番に引き出して行くことができる。
【００２４】
上記ような振出構成を採る中通し竿において元竿２より元上３等を一段だけ引き延ばした状態で糸通しを行うには、図１０に示すように、道糸ａの先端に糸通し用のワイヤ１２を連結し、このワイヤ１２を元竿２の糸導入孔２Ａより装入し穂先竿５の内部空間を通してトップガイド５Ａより抜き出し、ワイヤ１２の先端が糸導入孔２Ａの位置まで垂れ下がって達するように、ワイヤ１２の長さを伸張状態にある元上３の長さの２倍の長さにする。これによって、元竿２の糸導入孔２Ａの部位から移動することなく糸ａの挿通作業を行うことができ、ワイヤ１２の先端が糸導入孔２Ａの位置まで達すると、適当な治具、例えば、自動糸巻き取り機等で巻き取る。そうすると、従来のように、ワイヤ１２を元上３の長さに相当する長さの場合には、ワイヤ１２の先端がトップガイド５Ａより出てきた状態で、ワイヤ１２が戻らないように糸導入孔２Ａにおいて一方の手でワイヤ１２を押さえ、他方の手でワイヤ１２先端を引き出すことが必要であるが、元上３の長さが両手を広げた間隔より大きくなると、実質的に対応できないこともあり、このような状況を打開する方法としてワイヤ１２を二倍にすることにした。
〔別実施例〕
▲１▼  内部経路に、釣糸ａが移動する場合に摺動抵抗を低減するために、セラミック製のリング１１等を装着するが、竿が振出式であるので、各竿の長さと装入されるリング１１との関係を次のように設定するとよい。図１１に示すように、まず、振出式の竿であるから、小径の竿が大径の竿内にその大径の竿の後端開口より挿入されることになるので、穂先竿５以外の竿では、リング１１を装入する位置は各竿の後端部に限定される。
この原則に基づいて穂先竿５から構成すると、穂先竿５は自身の内部空間に竿を装入することはないので、リング１１の装入はその数においても位置においても任意である。したがって、穂先の先端部においては、スパイラル状のものを装入してもよい。
次に、中竿４を構成する２番竿４Ａから５番竿４Ｄまでは、自身より小径竿を内部経路に装入する必要があるので、後端近くでのみリング１１を装着する。ただし、２番竿４Ａ、３番竿４Ｂ、４番竿４Ｃは竿径が細いのでリング１１で糸ａを支持しなければ摺動抵抗が大きくなるところから、各竿４Ａ，４Ｂ，４Ｃの全長は短くしてある。これによって、竿毎に複数のリング１１を装入しなくても、必要な間隔でリング１１を配置することができる。
５番竿４Ｄと元上３とは比較的大径であるところから、後端にリング１１を装入している点は変わらないが、竿長は長く採ってある。
このように各竿の長さをリング１１の必要設置間隔に対応して設定することによって、糸の摺動抵抗を低減した竿を構築できる。
▲２▼  第２糸案内リング７を設ける後端開口３Ａとしては、中間竿としての元上３以外の他の中竿４の開口であってもよい。
▲３▼  中間竿としては、元上３と中竿４とで構成されるが、中間竿を有していない場合には、穂先竿５の後端開口に第２糸案内リング７を設けてもよい。
【図面の簡単な説明】
【図１】仕舞い状態にした中通し竿を示す縦断側面図
【図２】（イ）  中通し竿の仕舞い状態を示す側面図
（ロ）  中通し竿を引き延ばした状態を示す側面図
【図３】糸導入孔を示す平面図
【図４】糸導入孔を示す縦断側面
【図５】糸導入孔に装着された第１糸案内リングの別実施形態を示す縦断側面図
【図６】糸導入孔に装着された第１糸案内リングの別実施形態を示す縦断側面図
【図７】糸導入口に装着された第２糸案内リングを示す縦断側面図
【図８】糸導入口に装着された第２糸案内リングの別実施形態を示す縦断側面図
【図９】糸導入口に装着された第２糸案内リングの別実施形態を示す縦断側面図
【図１０】（イ）  中通し竿に糸通し用ワイヤを挿通する前の状態を示す側面図
（ロ）  中通し竿に糸通し用ワイヤを挿通した後の状態を示す側面図
【図１１】中通し式振出竿の別実施構造を示す側面図
【符号の説明】
２                元竿
２Ａ              糸導入孔
３                元上（中間竿）
３Ａ              糸導入口
５                穂先竿
６                第１糸案内リング
６Ａ              外側部
６Ｂ              内側部
７                第２糸案内リング
１０              間隔形成具
ａ                釣糸
【図１】
0003763616.tif 000002
【図２】
0003763616.tif 000003
【図３】
0003763616.tif 000004
【図４】
0003763616.tif 000005
【図５】
0003763616.tif 000006
【図６】
0003763616.tif 000007
【図７】
0003763616.tif 000008
【図８】
0003763616.tif 000009
【図９】
0003763616.tif 000010
【図１０】
0003763616.tif 000011
【図１１】
0003763616.tif 000012